【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
電子辞書の機能を有する電子機器であって、
入力を受け付ける受付手段と、
前記電子辞書の辞書データと、映像データとを記憶する記憶手段と、
前記映像データに基づいた映像を表示する表示手段と、
前記表示手段に前記映像が表示されている状態において前記受付手段が第１指示を表す入力を受け付けたことに基づき、前記電子辞書の検索用画面を前記表示手段に表示させる表示制御手段と、
前記検索用画面を介した入力によって特定された見出し語を用いた例文、および当該見出し語を解説するための図のうちの少なくとも１つに基づいた辞書画面の表示がなされると、当該辞書画面を特定するための第１データを前記辞書データに基づいて生成するとともに、当該生成した第１データを前記映像データに関連付けて前記記憶手段に記憶させる生成手段とを備え、
前記表示制御手段は、前記映像データを再度表示させる表示指示を前記受付手段が受け付けたことに基づき、前記第１データに基づき特定される前記辞書画面を前記表示手段に表示させる、電子機器。
【請求項２】
前記表示制御手段は、前記特定された見出し語を含んだ複数の見出し語と、前記特定された見出し語についての意味とを、前記表示手段に同時に表示可能であり、
前記生成手段は、前記複数の見出し語と前記特定された見出し語についての意味とが前記表示手段に同時に表示された場合、当該表示された前記複数の見出し語と前記意味とを特定するための第２データを前記辞書データに基づいて生成するとともに、当該生成した第２データを、前記映像データに関連付けて前記記憶手段に記憶させる、請求項１に記載の電子機器。
【請求項３】
前記受付手段を用いた入力に基づき、前記複数の見出し語の中から前記特定された見出し語以外の他の一つの見出し語を指定する第１指定手段をさらに備え、
前記表示制御手段は、前記指定された見出し語についての意味を前記表示手段に表示させ、
前記生成手段は、前記複数の見出し語と前記指定された見出し語についての意味とが同時に前記表示手段に表示された場合にも、当該表示された前記複数の見出し語と前記指定された見出し語についての意味とを特定するための第３データを前記辞書データに基づいて生成するとともに、当該生成した第３データを、前記映像データに関連付けて前記記憶手段に記憶させる、請求項２に記載の電子機器。
【請求項４】
前記特定された見出し語についての意味が前記表示手段に表示されている場合、前記受付手段を用いた入力に基づき、表示された内容に含まれる特定の語句のうち一つの語句を指定する第２指定手段を備え、
前記表示制御手段は、第２指示を受け付けた場合、前記第２指定手段により指定された語句と当該語句の意味とを前記表示手段に表示させ、
前記生成手段は、前記指定された語句と当該語句の意味とが前記表示手段に表示された場合、当該表示された前記語句と当該語句の意味とを特定するための第４のデータを前記辞書データに基づいて生成するとともに当該生成した第４のデータを、前記映像データに関連付けて前記記憶手段に記憶させる、請求項３に記載の電子機器。
【請求項５】
前記生成手段は、前記特定された見出し語を特定された順に前記記憶手段に記憶させるとともに、第３指示を受け付けた場合、前記特定された見出し語のうち当該第３指示を受け付けた直前に特定された見出し語を前記映像データに関連付けて前記記憶手段に記憶し、
前記表示制御手段は、前記表示指示を前記受付手段が受け付けた場合、前記直前に特定された見出し語についても前記表示手段に表示させる、請求項４に記載の電子機器。
【請求項６】
前記生成手段は、前記特定された見出し語を特定された順に前記記憶手段に記憶させるとともに、前記検索用画面が前記表示手段に表示されている場合に当該検索用画面を前記映像に切換える切替指示を前記受付手段が受け付けたときには、前記特定された見出し語のうち前記切替指示を受け付けた直前に特定された見出し語を前記映像データに関連付けて前記記憶手段に記憶し、
前記表示制御手段は、前記表示指示を受け付けた場合、前記直前に特定された見出し語についても前記表示手段に表示させる、請求項４に記載の電子機器。
【請求項７】
前記映像データを前記表示手段に再生させる再生手段をさらに備え、
前記表示制御手段は、前記表示手段に前記映像が表示されている状態において前記受付手段が第１指示を表す入力を受け付けたことに基づき、前記検索用画面を前記表示手段に表示させ、
前記再生手段は、前記第１指示を受け付けた後に前記表示指示を前記受付手段が受け付けた場合には、前記映像データのタイムシフト再生を行う、請求項１から６のいずれか１項に記載の電子機器。
【請求項８】
前記映像データを前記表示手段に再生させる再生手段をさらに備え、
前記生成手段は、前記映像データのうち前記第１指示を受け付けた直前に表示された映像を表すデータに関連付けて前記第１データを前記記憶手段に記憶し、
前記表示制御手段は、前記表示指示を前記受付手段が受け付けた場合、前記再生手段によって前記第１指示を受け付けた直前に表示された映像が再生された直後に、前記第１データに基づき特定される前記辞書画面を前記表示手段に表示させる、請求項１から７のいずれか１項に記載の電子機器。
【請求項９】
前記映像データを前記表示手段に再生させる再生手段をさらに備え、
前記表示制御手段は、前記表示指示を前記受付手段が受け付けた場合、前記再生手段による前記映像データの再生の前に、前記第１データに基づき特定される前記辞書画面を前記表示手段に表示させる、請求項１から７のいずれか１項に記載の電子機器。
【請求項１０】
前記映像データを前記表示手段に再生させる再生手段をさらに備え、
前記表示制御手段は、前記表示指示を前記受付手段が受け付けた場合、前記再生手段による前記映像データの再生が終了した後に、前記第１データに基づき特定される前記辞書画面を前記表示手段に表示させる、請求項１から７のいずれか１項に記載の電子機器。
【請求項１１】
前記特定された見出し語と当該見出し語についての意味とを前記表示手段に表示させた時間を測定する測定手段をさらに備え、
前記生成手段は、前記測定手段が測定した時間のデータを、前記映像データに関連付けて前記記憶手段に記憶させ、
前記表示制御手段は、前記表示指示を前記受付手段が受け付けた場合には、前記時間のデータで示された時間にわたり、前記第２データに基づき見出し語についての意味を前記表示手段に表示させる、請求項８から１０のいずれか１項に記載の電子機器。
【請求項１２】
前記辞書画面を前記表示手段に表示させた時間を測定する測定手段をさらに備え、
前記生成手段は、前記測定手段が測定した時間のデータを、前記映像データに関連付けて前記記憶手段に記憶させ、
前記表示制御手段は、前記表示指示を前記受付手段が受け付けた場合には、前記時間のデータで示された時間にわたり、前記第１データに基づき特定される前記辞書画面を前記表示手段に表示させる、請求項８から１０のいずれか１項に記載の電子機器。
【請求項１３】
前記映像データを前記表示手段に再生させる再生手段をさらに備え、
前記生成手段は、前記第１指示を受け付けた直前に表示された映像データに関連付けて前記第１データと前記第２データとを前記記憶手段に記憶し、
前記表示制御手段は、前記表示指示を前記受付手段が受け付けた場合、前記再生手段によって前記第１指示を受け付けた直前に表示された映像データが再生された直後に、前記第２データに基づき見出し語と当該見出し語についての意味とを前記表示手段に表示させた後、前記第１データに基づき前記辞書画面を前記表示手段に表示させる、請求項２から６のいずれかに記載の電子機器。
【請求項１４】
前記第１データは、前記映像データとは異なるデータ形式のデータである、請求項１から１３のいずれか１項に記載の電子機器。
【請求項１５】
前記見出し語を解説するための音声を出力する音声出力手段をさらに備え、
前記生成手段は、前記検索用画面を介した入力によって特定された見出し語を解説するための音声の出力がなされると、当該出力を特定するための音声特定用データを前記辞書データに基づいて生成するとともに、当該生成した音声特定用データを前記映像データに関連付けて前記記憶手段に記憶させる生成手段とを備え、
前記音声出力手段は、前記表示指示を前記受付手段が受け付けたことに基づき、前記音声特定用データに基づき特定される前記音声を出力する、請求項１から１４のいずれかに記載の電子機器。
【請求項１６】
電子辞書の機能を有する電子機器における表示制御方法であって、
前記電子機器のプロセッサが、前記電子機器のディスプレイに映像データに基づいた映像が表示されている状態において前記電子機器の入力装置が第１指示を表す入力を受け付けたことに基づき、前記電子辞書の検索用画面を前記ディスプレイに表示させるステップと、
前記プロセッサが、前記検索用画面を介した入力によって特定された見出し語を用いた例文、および当該見出し語を解説するための図のうちの少なくとも１つに基づいた辞書画面を前記ディスプレイに表示させるステップと、
前記プロセッサが、前記辞書画面を特定するための特定データを前記電子辞書の辞書データに基づいて生成するステップと、
前記プロセッサが、前記生成した特定データを前記映像データに関連付けて前記電子機器のメモリに記憶させるステップと、
前記プロセッサが、前記映像データを再度表示させる表示指示を前記入力装置が受け付けたことに基づき、前記特定データに基づき特定される前記辞書画面を前記ディスプレイに表示させるステップとを備える、表示制御方法。
【請求項１７】
請求項１６に記載の表示制御方法をコンピュータに実行させるためのプログラム。